(57)【要約】
【課題】　二個のテレビジョンチューナを並設して使用する場合に相互の接続が簡単となり、しかも接続のための特別な部品を必要としないテレビジョンチューナを提供する。
【解決手段】　金属枠体１内に設けたシールド板２によって第一の側板側１ａに第一の区画領域３を設けると共に第二の側板側１ｂに第二の区画領域４を設け、第一の区画領域３には分配器１３を配設すると共に、第二の区画領域４にはチューナ部１４を配設し、第三の側板１ｃには第一の区画領域３に対応する位置に第一のコネクタ１０を取り付けると共に、第四の側板１ｄには第一の区画領域３に対応する位置に分配器１３に接続された第二のコネクタ１１を取り付け、第二の側板１ｂから第一のコネクタ１０の中心軸までの距離と第二の側板１ｂから第二のコネクタ１１の中心軸までの距離とを互いに等しくした。
【選択図】　　　　図１
0003100213.tif 000002
【実用新案登録請求の範囲】
【請求項１】
入力されたテレビジョン信号を２分配する分配器を少なくとも有する分配部と、分配された一方のテレビジョン信号を周波数変換して中間周波信号を出力するチューナ部と、四つの側板を有し、その内部に前記分配部と前記チューナ部とを構成する方形の金属枠体とを備え、前記金属枠体の内部を第一の側板側とそれに対向する第二の側板側とに２分するシールド板によって前記第一の側板側に第一の区画領域を設けると共に前記第二の側板側に第二の区画領域を設け、前記第一の区画領域には前記分配器を配設すると共に、前記第二の区画領域には前記チューナ部を配設し、前記第二の側板にはマザー基板への接続用端子を取り付け、第三の側板には前記第一の区画領域に対応する位置に前記テレビジョン信号を入力する第一のコネクタを取り付けると共に、第四の側板には前記第一の区画領域に対応する位置に前記分配器によって分配された他方のテレビジョン信号を出力する第二のコネクタを取り付け、前記第二の側板から前記第一のコネクタの中心軸までの距離と前記第二の側板から前記第二のコネクタの中心軸までの距離とを互いに等しくしたことを特徴とたことを特徴とするテレビジョンチューナ。
【請求項２】
前記分配部は前記第一のコネクタと前記分配器との間に介挿される第一の広帯域増幅器を有し、前記第一の広帯域増幅器を前記第一の区画領域内で前記第一のコネクタに近接した位置に配設し、前記分配器を前記第一の広帯域増幅器に隣接して第四の側板側に配設したことを特徴とする請求項１に記載のテレビジョンチューナ。
【請求項３】
前記分配器と前記チューナ部との間に第二の広帯域増幅器を介挿し、前記第二の広帯域増幅器を前記分配器に隣接して前記シールド板側に配設したことを特徴とする請求項２に記載のテレビジョンチューナ。
【請求項４】
前記分配器と前記第二のコネクタとの間に第三の広帯域増幅器を介挿し、前記第三の広帯域増幅器を前記分配器に隣接して前記第四の側板側に配設したことを特徴とする請求項２又は３に記載のテレビジョンチューナ。
【請求項５】
前記第二のコネクタをピンプラグとしたことを特徴とする請求項１乃至４のいずれかに記載のテレビジョンチューナ。
【考案の詳細な説明】
【技術分野】
【０００１】
　本考案は、入力されたテレビジョン信号を分配すると共に、分配されたテレビジョン信号を外部に取り出すようにしたテレビジョンチューナに関する。
【背景技術】
【０００２】
　従来のテレビジョンチューナを図３を参照して説明する。図３はテレビジョンチューナを構成する各ブロックの配置を示す平面図である。方形の金属枠体２１は四つの側板を有し、その内部はシールド板２４によって四つの区画室２５〜２８に分割されている。そして、区画室２５には分配部、区画室２６にはチューナ部、区画室２７には復調部、区画室２８には切り替え部、変調部が収納されている。これらの各回路部、すなわち分配部、チューナ部、復調部、切り替え部および変調部は通常一枚のプリント基板上に配設されている。
【０００３】
　テレビジョン信号が入力される入力コネクタ２２と、分配部によって分配されたテレビジョン信号を出力する出力コネクタ２３とはケース２１の短側板２９に取り付けられている。また、短側板２９に隣接する長側板の一方３０から各回路部に供給する電源や信号の入出力のための外部端子群３１〜３３が突出している。分配部と切り替え部、変調部はそれぞれ入力コネクタ２２と出力コネクタ２３に対応した位置で短側板２９に沿った区画室２５、２８に配設されている。外部端子群３１は切り替え部、変調部が配設された区画室２８内のプリント基板に取り付けられている。
【０００４】
　区画室２５に配設される分配部は入力されたテレビジョン信号を２分配してその一方をチューナ部に入力し、他方を切替部に入力する。チューナ部は入力されたテレビジョン信号を中間周波信号に変換して復調部に送る。復調されたビデオ信号等は端子群３１を介して図示しない録画再生装置等に出力される。また、分配部から出力された他方のテレビジョン信号は切り替え部に入力される。
【０００５】
　一方、録画再生装置等からのビデオ信号等は端子群３１を介して変調部に入力されてＲＦ信号に変換され、切り替え部に入力される。切り替え部は、再生時には変調部からのＲＦ信号を出力コネクタ２３に出力する。出力コネクタ２３に他のテレビジョンチューナを接続することでテレビ（図示せず）で再生画を視聴することができる。一方、再生画を視聴しないときは切替部は分配出力を出力コネクタ２３に出力する。従って、テレビでは受信したテレビジョン信号を視聴できる（例えば、特許文献１参照。）。
【０００６】
【特許文献１】特開平１０−３２５１４号公報（図９）
【考案の開示】
【考案が解決しようとする課題】
【０００７】
　上記のテレビジョンチューナは、端子群３１〜３３が図示しないマザー基板にの設けられた貫通孔に挿入されて取り付けられる。従って、マザー基板の面から入力コネクタ及び出力コネクタまでの高さが異なる。そして、同様の形状を有する他のテレビジョンチューナがマザー基板上に並設された場合、互いに接続すべき一方のテレビジョンチューナの出力コネクタと他方のテレビジョンチューナの入力コネクタとの高さが異なるので、その接続のためには両端に接続を中継するためのコネクタを取り付けたケーブルを使用することとなり、接続のための余分な作業を必要とし、部品費の上昇をきたす。
【０００８】
　本考案は、二個のテレビジョンチューナを並設して使用する場合に相互の接続が簡単となり、しかも接続のための特別な部品を必要としないテレビジョンチューナを提供する。
【課題を解決するための手段】
【０００９】
　上記課題を解決する手段として、入力されたテレビジョン信号を２分配する分配器を少なくとも有する分配部と、分配された一方のテレビジョン信号を周波数変換して中間周波信号を出力するチューナ部と、四つの側板を有し、その内部に前記分配部と前記チューナ部とを構成する方形の金属枠体とを備え、前記金属枠体の内部を第一の側板側とそれに対向する第二の側板側とに２分するシールド板によって前記第一の側板側に第一の区画領域を設けると共に前記第二の側板側に第二の区画領域を設け、前記第一の区画領域には前記分配器を配設すると共に、前記第二の区画領域には前記チューナ部を配設し、前記第二の側板にはマザー基板への接続用端子を取り付け、第三の側板には前記第一の区画領域に対応する位置に前記テレビジョン信号を入力する第一のコネクタを取り付けると共に、第四の側板には前記第一の区画領域に対応する位置に前記分配器によって分配された他方のテレビジョン信号を出力する第二のコネクタを取り付け、前記第二の側板から前記第一のコネクタの中心軸までの距離と前記第二の側板から前記第二のコネクタの中心軸までの距離とを互いに等しくした。
【００１０】
　また、前記分配部は前記第一のコネクタと前記分配器との間に介挿される第一の広帯域増幅器を有し、前記第一の広帯域増幅器を前記第一の区画領域内で前記第一のコネクタに近接した位置に配設し、前記分配器を前記第一の広帯域増幅器に隣接して第四の側板側に配設した。
【００１１】
　また、前記分配器と前記チューナ部との間に第二の広帯域増幅器を介挿し、前記第二の広帯域増幅器を前記分配器に隣接して前記シールド板側に配設した。
【００１２】
　また、前記分配器と前記第二のコネクタとの間に第三の広帯域増幅器を介挿し、前記第三の広帯域増幅器を前記分配器に隣接して前記第四の側板側に配設した。
【００１３】
　また、前記第二のコネクタをピンプラグとした。
【考案の効果】
【００１４】
　以上のように、テレビジョン信号が入力される第一のコネクタを第三の側板に取り付け、分配されたテレビジョン信号を出力する第二のコネクタを第三の側板に対向する第四の側板に取り付け、第一のコネクタの取り付け高さと第二のコネクタの取り付け高さとを互いに等しくしたので、他のテレビジョンチューナと共にマザー基板に取り付けたときに、第二のコネクタから他のテレビジョンチューナのコネクタにテレビジョン信号を入力する際にコネクタ同士を接続するだけでよい。二つのテレビジョンチューナを接続するためにケーブル等の特別の手段がなくても両者を簡単に接続できる。
【００１５】
　また、分配部は第一のコネクタと分配器との間に介挿される第一の広帯域増幅器を有し、第一の広帯域増幅器を第一の区画領域内で第一のコネクタに近接した位置に配設し、分配器を第一の広帯域増幅器に隣接して第四の側板側に配設したので、分配器の挿入ロスによるＮＦの悪化を防ぐと共に、第一の広帯域増幅器の入力側と出力側とのアイソレーションが確保できる。
【００１６】
　また、分配器とチューナ部との間に第二の広帯域増幅器を介挿し、第二の広帯域増幅器を分配器に隣接してシールド板側に配設したので、テレビジョン信号を最短の距離でチューナ部に入力でき、またチューナ部と分配器との逆方向のアイソレーションが確保できる。
【００１７】
　また、分配器と第二のコネクタとの間に第三の広帯域増幅器を介挿し、第三の広帯域増幅器を分配器に隣接して第四の側板側に配設したので、テレビジョン信号を最短の距離で第二のコネクタに入力でき、また第二のコネクと分配器との逆方向のアイソレーションが確保できる。
【００１８】
　また、第二のコネクタをピンプラグとしたので、他のテレビジョンチューナのピンジャックに容易に嵌合出来る。
【考案を実施するための最良の形態】
【００１９】
　図１に本考案のテレビジョンチューナを示す。図１はテレビジョンチューナを構成する各ブロックの配置を示す平面図である。方形の金属枠体１の内部には第一の側板１ａとそれに対向する第二の側板１ｂとに平行で第三の側板１ｃと第四の側板１ｄとを橋絡する第一のシールド板２が設けられ、金属枠体１はこの第一のシールド板２によって第一の側板１ａ側の第一の区画領域３と、第二の側板１ｂ側の第二の区画領域４とに２分される。
【００２０】
　また、第一のシールド板２と第二の側板１ｂとを橋絡する第二のシールド板５と、第一のシールド板２と第四の側板１ｄとを橋絡するＬ型の第三のシールド板６とによって、第二の区画領域４は、第三の側板１ｃと第二のシールド板５とに挟まれた第一の区画室７と、第二のシールド板５と第三のシールド板６とに挟まれた第二の区画室８と、第一のシールド板２と第三のシールド板６と第四の側板１ｄとによって囲まれた第三の区画室９とに３分される。
【００２１】
　なお、金属枠体１内には上記のシールド板２、５、６を立設すると共に第一の区画領域３及び第二の区画領域４（第一乃至第三の区画室７〜９）内に各種の回路を構成するための回路基板（図示せず）が収納される。
【００２２】
　第三の側板１ｃには第一の区画領域３に対応する位置にテレビジョン信号が入力される第一のコネクタ（例えばＦ型同軸コネクタ）１０が取り付けられ、第三の側板１ｄにはテレビジョン信号を出力する第二のコネクタ（例えば同軸型のピンプラグ）１１が取り付けられる。第一のコネクタ１０の取り付け高さ（第二の側板１ｂから第一のコネクタ１０の中心軸までの距離）と第二のコネクタ１１の取り付け高さ（第二の側板１ｂから第二のコネクタ１１の中心軸までの距離）とは同じでＨである。さらに、第二の側板１ｂには複数の端子１２がほぼ等間隔で列状に取り付けられている。
【００２３】
　第一のコネクタ１０が第一の区画領域３に対応する位置に取り付けられる理由は、端子１２がテレビジョン受信機のマザー基板（図示せず）に取り付けられた際の第一のコネクタ１０の高さ（第二の側板１ｂからの高さ）をある程度確保するためである。また、第一のコネクタ１０が取り付けられた第三の側板１ｃに対向した第四の側板１ｄに第二のコネクタ１１を取り付け、その取り付け高さを第一のコネクタ１０の取り付け高さと等しくした理由は、テレビジョン信号が入力されるコネクタ（第一のコネクタ１０）の取り付け高さＨが当業界では例えば３０ｍｍに標準化されているので、二つのテレビジョンチューナを併設してマザー基板に取り付けた際の互いの接続をし易くするためである。
【００２４】
　第一の区画領域３には入力されたテレビジョン信号を２分配する分配部１３が構成される。分配部１３は入力されたテレビジョン信号を増幅する第一の広帯域増幅器１３ａと、増幅されたテレビジョン信号を２分配する分配器（例えば、分配トランスで構成される）１３ｂと、分配された一方のテレビジョン信号を増幅する第二の広帯域増幅器１３ｃと、分配された他方のテレビジョン信号を増幅する第三の広帯域増幅器１３ｄとを有するが、第一の広帯域増幅器１３ａ乃至第三の広帯域増幅器１３ｄは必ずしも必要ではない。しかし、分配器１３ｂの前段に設けられる第一の広帯域増幅器１３ａは分配ロスによるＮＦ（雑音指数）の悪化を軽減するためには有効となる。
　このうち、第一の広帯域増幅器１３ａは第一のコネクタ１０に近接した位置に配設され、分配器１３ｂは第一の広帯域増幅器１３ａに隣接した位置で第四の側板１ｄ側に配設される。
【００２５】
　また、第二の広帯域増幅器１３ｃは分配器１３ｂに隣接した位置で第一のシールド板２側に配設され、第三の広帯域増幅器１３ｄは分配器１３ｂに隣接した位置で第四の側板１ｄ側に配設される。そして、第二のコネクタ１１は第三の広帯域増幅器１３ｄに対応する第一の側板１ａ上の位置に取り付けられる。
【００２６】
　第二の区画領域４にはチューナ部１４が構成される。チューナ部１４は入力同調回路１４ａ、高周波増幅器１４ｂ、段間同調回路１４ｃ、発振器１４ｄ、ミキサ回路１４ｅ等を有する。入力同調回路１４ａはＵＨＦ帯用の同調回路とＶＨＦ帯用の同調回路とを含み、第一の区画室７内に設けられるが、第二の広帯域増幅器１３ｃに対応した位置に配設される。また、高周波増幅器１４はＵＨＦ帯用とＶＨＦ帯用との２回路を有し、第二のシールド板５の位置（回路基板の裏面）に配設される。また、段間同調回路１４ｃもＵＨＦ帯用の同調回路とＶＨＦ帯用の同調回路とを含み、第二の区画室８における第二のシールド板５側の半分の領域に配設される。また、発振器１４ｄは第三の区画室９内に配設され、ミキサ回路１４ｅは第二の区画室８における第四の側板１ｄ側の半分の領域に配設される。
【００２７】
　以上の構成において、第一のコネクタ１０から第一の広帯域増幅器１３ａに入力されたテレビジョン信号は増幅されて分配器１３ｂによって２分配され、その一方は第二の広帯域増幅器１３ｃを介して第一の区画室７内の入力同調回路１４ａに入力される。そして、高周波増幅器１４ｂ、段間同調回路１４ｃを介してミキサ回路１４ｅに入力され、発振信号との混合によって最終的にミキサ回路１４ｅで中間周波信号に変換されて端子１２から出力される。分配器１３ｂで分配された他方のテレビジョン信号は第三の広帯域増幅器１３ｄを介して第二のコネクタ１１から出力され、他のテレビジョンチューナに入力される。
【００２８】
　以上の構成では、分配器１３ｂで２分配されたテレビジョン信号の一方は第一のシールド板２で隔離された第一の区画領域４に出力され、他方のテレビジョン信号は第一の側板１ａに取り付けられた第二のコネクタに入力されるので、分配後のテレビジョン信号は互いに逆方向に出力され互いの干渉は無くなる。また、分配後はそれぞれのテレビジョン信号が広帯域増幅器を通過するのでそれらの出力端での干渉が一層少なくなりアイソレーションの確保が容易である。
【００２９】
　図２は本考案のテレビジョンチューナ４１の使用例を示す。テレビジョンチューナ４１はマザー基板４０に取り付けられ、その端子１２がマザー基板４０の貫通孔に挿入される。他のテレビジョンチューナ４２はテレビジョン信号が入力されるコネクタ（例えば、ピンジャック）４３を有し、その取り付け高さは本考案のテレビジョンチューナ４１の第二のコネクタ１１の取り付け高さと同じである。そして、他のテレビジョンチューナ４２は本考案のテレビジョンチューナ４１の第四の側板１ｄにそのコネクタ４３が対向するようにマザー基板に取り付けられ、端子４４がマザー基板４０に挿入される。そして、本考案のテレビジョンチューナ４１の第二のコネクタと他のテレビジョンチューナ４２のコネクタ４３とが接続される。実際には、二つのコネクタ１１、４３同士を直接接続した状態で、共にマザー基板４０に取り付けられる。
【００３０】
　よって、二つのテレビジョンチューナを接続するためにケーブル等の特別の手段がなくても両者を簡単に接続できる。
　なお、第二のコネクタ１１は他のテレビジョンチューナ４２のコネクタ４４と嵌合可能な構造を有するものであればよく、必ずしもピンプラグである必要はない。
【図面の簡単な説明】
【００３１】
【図１】本考案のテレビジョンチューナの内部のブロック配置を示す平面図である。
【図２】本考案のテレビジョンチューナの使用例を示す側面図である。
【図３】従来のテレビジョンチューナの内部のブロック配置を示す平面図である。
【符号の説明】
【００３２】
　１：金属枠体
　１ａ：第一の側板
　１ｂ：第二の側板
　１ｃ：第三の側板
　１ｄ：第四の側板
　２：第一のシールド板
　３：第一の区画領域
　４：第二の区画領域
　５：第二のシールド板
　６：第三のシールド板
　７：第一の区画室
　８：第二の区画室
　９：第三の区画室
　１０：第一のコネクタ
　１１：第二のコネクタ
　１２：端子
　１３：分配部
　１３ａ：第一の広帯域増幅器
　１３ｂ：分配器
　１３ｃ：第二の広帯域増幅器
　１３ｄ：第三の広帯域増幅器
　１４：チューナ部
　１４ａ：入力同調回路
　１４ｂ：高周波増幅器
　１４ｃ：段間同調回路
　１４ｄ：発振器
　１４ｅ：ミキサ回路
【図１】
0003100213.tif 000003
【図２】
0003100213.tif 000004
【図３】
0003100213.tif 000005